(57)【特許請求の範囲】
【請求項１】
基準信号から１８０°位相がずれた波形を色基準信号とし、前記基準信号からの位相差に応じて色を決定する色信号を発生する色信号発生回路であって、
予め定められた複数の色に対応するＲ−Ｙ値、Ｂ−Ｙ値、Ｙ値を色毎に記憶した記憶部と、
前記複数の色のうち、選択された色に対応するＲ−Ｙ値、Ｂ−Ｙ値、Ｙ値をそれぞれ記憶部から読み出す読み出し制御回路と、
記憶部から読み出されたＲ−Ｙ値、Ｂ−Ｙ値のうち、基準信号に対して、−４５°〜＋４５°の期間はＲ−Ｙ値を出力し、４５°〜１３５°の期間はＢ−Ｙ値を出力し、１３５°〜２２５°の期間はＲ−Ｙ値を出力し、２２５°〜３１５°の期間はＢ−Ｙ値を出力する切り替え回路と、
記憶部から読み出されたＹ値に対して切り替え回路の出力を、−４５°〜１３５°の期間は加算し、１３５°〜３１５°の期間は減算する加減算手段と、を備えることを特徴とする色信号発生回路。
【発明の詳細な説明】
【０００１】
【発明の属する技術分野】
本発明は、複数色の色信号を発生する色信号発生回路に関する。
【０００２】
【従来の技術】
従来より、ビデオデッキの予約画面などにおいては、所定色の背景に複数色の文字表示を行う。このような画面表示のために、色信号を発生する必要がある。ＮＴＳＣ方式やＰＡＬ方式において、色信号は色基準信号に対する位相差により色を表している。例えば、ＮＴＳＣにおいて、色基準信号を１８０°として、色信号の位相が３４７．６°であれば青、６０．６°であればマゼンダ、１０３．４°であれば赤、１６７．６°であれば黄色を表す。
【０００３】
そこで、色基準信号を所定量だけ遅延させて各色の色信号を発生させている。また、デジタル的に色信号を発生させる場合、色基準信号を少なくとも１６倍のクロックを使用し、色基準信号を所定量遅延させた色信号を生成している。なお、１６倍のクロックでは、２２．５°単位であり、黄色は１５７．５°となり、完全な黄色とは異なるが、利用できる範囲である。
【０００４】
【発明が解決しようとする課題】
遅延回路を利用する場合、その遅延量を正確に設定することにより、複数の色を正確に表現することができる。しかし、このためには、２０ｎｓｅｃ以上の大きな遅延回路が必要となり、これを集積回路にまとめる場合には、大きな素子面積が必要となり、また回路のばらつきを抑えることが難しいという問題も生じる。
【０００５】
また、色基準信号の１６倍（またはそれ以上）のクロックを用いる場合、色基準信号がＮＴＳＣで３．５８ＭＨｚ、ＰＡＬで４．４３ＭＨｚであり、そのクロックはかなり高速なものになる。このような高速のクロックは、ノイズ源となり易く、また素子動作を確保することが難しいという問題点がある。
【０００６】
本発明は、上記課題に鑑みなされたものであり、比較的低速のクロックを用い、複数の色を効果的に発生できる色信号発生回路を提供することを目的とする。
【０００７】
【課題を解決するための手段】
本発明は、予め定められた複数の色について、色基準信号に対し所定の位相差を持つ色差信号Ｒ−ＹおよびＢ−Ｙの値を記憶した記憶部と、表示色についての信号に応じて、その色についての色差信号Ｒ−ＹおよびＢ−Ｙを記憶部から読み出す読み出し手段と、読み出された色差信号Ｒ−ＹおよびＢ−Ｙを加減算し、色信号を得る加減算手段と、を有することを特徴とする。
【０００８】
このように、本発明によれば、記憶部に各色のＲ−Ｙ、Ｂ−Ｙについてのデータを記憶している。したがって、各色の表示の際にこれらを読み出すだけでよく、遅延回路などを不要とでき、集積回路を作成す場合に素子面積を小さくできる。特に、色信号として、比較的少ない数の色しか使用しない場合には、記憶容量も小さくてよく、回路面積的にも有利である。また、位相を移動させるわけではないため、高速クロックが不要となる。
【０００９】
また、前記読み出し手段は、色基準信号の位相を１８０°とした場合に、−４５°〜＋４５°の期間にＲ−Ｙを読み出し、４５°〜１３５°の期間にＢ−Ｙを読み出し、１３５°〜２２５°の期間にＲ−Ｙを読み出し、２２５°〜３１５°の期間にＢ−Ｙを読み出し、加減算手段は、−４５°〜１３５°の期間は加算、１３５°〜３１５°の期間は減算を行うことが好適である。
【００１０】
このような構成により基本的な８色、色基準信号の周波数の４倍の周波数のクロックを利用することができ、比較的低速のクロックを使用できる。
【００１１】
【発明の実施の形態】
以下、本発明の実施の形態（以下実施形態という）について、図面に基づいて説明する。
図１は、実施形態の色信号発生回路の全体構成を示す図である。予約画面などの表示は、表示装置における垂直および水平同期信号に基づいて、表示コントローラ１０が発生する。この表示コントローラ１０には、ＶＲＡＭ１２が接続されている。このＶＲＡＭ１２には、画面表示と対応したアドレスに表示キャラクタデータ（例えば、文字データ）のコードデータが記憶されている。また、表示コントローラ１０には、各表示キャラクタのコードに対応するドットパターン（フォントデータ）を記憶しているフォントＲＯＭ１４が接続されている。
【００１２】
そして、表示コントローラ１０は、垂直および水平同期信号に基づいて、ＶＲＡＭ１２からコードデータを読み出し、これに対応したフォントデータを水平同期信号に同期して出力する。
ここで、この表示コントローラ１０からは、垂直および水平同期信号に同期して、色選択信号が出力される。この色選択信号は、その時表示する色を示す信号であり、８色表示であればそのうちのいずれかを示す信号である。
【００１３】
この色選択信号は、読み出し制御回路１６を介し、Ｒ−Ｙ記憶部１８、Ｂ−Ｙ記憶部２０、Ｙ記憶部２２に供給される。読み出し制御回路１６は、色選択信号に応じてあらかじめ定められている、Ｒ−Ｙ記憶部１８、Ｂ−Ｙ記憶部２０、Ｙ記憶部２２の読み出しアドレスをそれぞれ出力し、これら記憶部から該当する色のデータが出力される。
【００１４】
ここで、表示色は、通常ＲＧＢで示され、輝度Ｙは、Ｙ＝０．３Ｒ＋０．５９Ｇ＋０．１１Ｂで決定される。そして、通常の場合、色信号の帯域圧縮のために色差信号Ｒ−Ｙ、Ｂ−Ｙ、Ｙが利用される。この場合、Ｒ−Ｙ＝０．７Ｒ−０．５９Ｇ、−０．１１Ｇ、Ｂ−Ｙ＝−０．３Ｒ＋０．５９Ｇ＋０．８９Ｂである。そこで、１つの表示色についてのＲ−Ｙ、Ｂ−Ｙ、Ｙは、一義的に決定されており、各色のＲ−Ｙ、Ｂ−Ｙ、Ｙ値がＲ−Ｙ記憶部１８、Ｂ−Ｙ記憶部２０、Ｙ記憶部２２にそれぞれ記憶されている。従って、表示コントローラ１０から出力される色選択信号によって、その表示色のＲ−Ｙ、Ｂ−Ｙ、Ｙの値が出力される。
【００１５】
そして、本実施形態では、色基準信号の４倍のクロックを利用して、３つの記憶部から読み出したデータを加減算し、コンポジット信号を作成する。
すなわち、Ｒ−Ｙ記憶部１８およびＢ−Ｙ記憶部２０の出力は、切り替え回路２４によってそのいずれかが選択され、＋または−の符号を変換する＋／−回路２６に供給される。そして、これによって各色の色信号を生成する。
【００１６】
色基準信号の位相を１８０°とした場合、Ｂ−Ｙの位相が０°であり、Ｒ−Ｙの位相が９０°であるため、切り替え回路２４は、−４５°〜＋４５°の期間にＲ−Ｙを選択し、４５°〜１３５°の期間にＢ−Ｙを選択し、１３５°〜２２５°の期間にＲ−Ｙを選択し、２２５°〜３１５°の期間にＢ−Ｙを選択するように、９０°おきに選択する信号を切り替える。そして、＋／−回路２６は、−４５°〜１３５°の期間は＋、１３５°〜３１５°の期間は−として、Ｂ−ＹあるいはＲ−Ｙを出力する。
【００１７】
これによって、図２に示すように、色基準信号の位相が１８０°とした場合に、Ｂ−Ｙ、Ｒ−Ｙの値が９０°毎に変化する色信号が得られる。各表示色のＲ−Ｙ、Ｂ−Ｙの値が予めＲ−Ｙ記憶部１８、Ｂ−Ｙ記憶部２０に記憶されているため、９０°ごとに値が各表示色で異なり、結果として各色の色信号が得られる。
【００１８】
そして、このようにして得られた色信号に、その各色に対応する輝度信号Ｙが加算回路２８において、加算されることで、コンポジット信号が得られる。なお、ここまでのデータはすべてデジタルであり、この加算回路２８の出力にデジタルのコンポジット信号が得られる。なお、このデジタル信号のクロックは、色基準信号の周波数の４倍の周波数である。
【００１９】
そして、加算回路２８の出力がＤ／Ａ変換器３０においてアナログ信号に変換されることで、表示装置に供給される通常のコンポジット信号が得られる。
このように、本実施形態によれば、Ｒ−Ｙ記憶部１８、Ｂ−Ｙ記憶部２０、Ｙ記憶部２２に各色に対応したデータが記憶されている。したがって、遅延回路などを不要とでき、集積回路を作成する場合に素子面積を小さくできる。また、色基準信号の周波数の４倍の周波数のクロックを利用することができ、比較的低速のクロックの使用にできる。特に、色信号として、比較的少ない数の色しか使用しない場合には、記憶容量も小さくてよく、回路面積的にも有利である。
【００２０】
【発明の効果】
以上説明したように、本発明によれば、記憶部に各色のＲ−Ｙ、Ｂ−Ｙについてのデータを記憶している。したがって、各色の表示の際にこれらを読み出すだけでよく、遅延回路などを不要とでき、集積回路を作成す場合に素子面積を小さくできる。特に、色信号として、比較的少ない数の色しか使用しない場合には、記憶容量も小さくてよく、回路面積的にも有利である。また、位相を移動させるわけではないため、高速クロックが不要となる。
【図面の簡単な説明】
【図１】  実施形態の回路の全体構成を示す図である。
【図２】  色信号を示す図である。
【符号の説明】
１０  表示コントローラ、１２  ＶＲＡＭ、１４  フォントＲＯＭ、１６  読み出し制御回路、１８  Ｒ−Ｙ記憶部、２０  Ｂ−Ｙ記憶部、２２  Ｙ記憶部、２４  切り替え回路、２６  ＋／−回路、２８  加算回路、３０  Ｄ／Ａ変換器。
【図１】
0004386515.tif 000002
【図２】
0004386515.tif 000003